【事件の表示】
　平成　６年特許願第２３２２２３号「パソコン用動画像処理装置」拒絶査定に対する審判事件［平成　８年　３月２２日出願公開、特開平　８−　７９７８２］について、次のとおり審決する。
【結　論】
　本件審判の請求は、成り立たない。
【理　由】
１．手続の経緯・本願発明
　本願は、平成６年８月３１日に出願されたものである。その請求項１，２に係る発明は、平成９年８月１１日付手続補正書によって補正された明細書及び図面の記載からみて、その特許請求の範囲に記載されたとおりの次のものである。(以下「本願発明１」「本願発明２」という。)
　なお、平成１１年４月３０日付手続補正書による補正は却下された。
　
「【請求項１】映像を処理してパソコン画面上に動画像を表示させるパソコン用動画像処理装置において、
　映像入力ｃｈ（チャンネル）からのＮＴＳＣ（Ｎａｔｉｏｎａｌ　Ｔｅｌｅｖｉｓｉｏｎ　Ｓｙｓｔｅｍ　Ｃｏｍｍｉｔｅｅ）信号を色相別デジタル輝度信号に変換し、かつパソコン画面に表示するサイズに合わせて縮小する映像入力ｃｈ毎のＮＴＳＣ信号変換部と、
　前記色相別デジタル輝度信号を色相別に書き込む色相別信号メモリ部と、
　前記色相別デジタル輝度信号をアナログ信号に変換するデジタル／アナログ変換部と、
　前記色相別のアナログ信号のオーバーレイを制御するアナログＲＧＢ（Ｒｅｄ，Ｇｒｅｅｎ，Ｂｌｕｅ）オーバーレイ制御部と、
　色相別信号メモリ部へのメモリの書き込み／読み出しを制御するメモリ書き込み／読み出し制御部とから構成され、
　非同期入力映像毎にパラレルに映像を処理してパソコン画面上に複数の動画像を表示させることを特徴とするパソコン用動画像処理装置。
【請求項２】前記ＮＴＳＣ信号変換部は、
　映像入力信号をアナログＲ，Ｇ，Ｂの色相別に分解するＮＴＳＣ／ＲＧＢ変換部と、
　アナログＲ，Ｇ，ＢをデジタルＲ，Ｇ，Ｂに変換して色相別デジタル輝度信号を生成するアナログ／デジタル変換部と、
　表示画面に合わせて色相別デジタル輝度信号の縮小を制御する縮小画制御部と、
　入力映像から水平同期信号，垂直同期信号，フィールド識別信号を分離する同期信号分離部と、
　縮小画制御信号を発生して縮小画制御部に出力する制御信号発生部とから構成されていることを特徴とする請求項１記載のパソコン用動画像処理装置。」
　
２．引用例
　これに対し原査定の拒絶の理由で引用された特開平５−１７６２２９号公報(以下「引用例」という。)には、下記の記載がある。
　
「【０００２】
【従来の技術】従来、この種の多入力映像信号表示装置は、パーソナルコンピュータ（以下単にパソコンと記述する）本体の背面側に設けられたスロット（例えばビデオカードスロット）、またはパソコン本体に結合した拡張用ユニットのスロットに画像処理ユニットを挿入接続し、この画像処理ユニットの映像信号入力端子にＴＶ放送局からのＮＴＳＣ方式のビデオ信号、またはＴＶカメラやＶＴＲ（ビデオテープレコーダ）からのビデオ信号を入力し、このビデオ信号によるビデオ画をパソコンによるパソコン画と重ねあわせて、パソコンのモニタで表示するようにしていた。」(公報第１欄第３２〜４３行)
「【０００６】
　本発明は上述の問題点に鑑みなされたもので、複数の互いに非同期のビデオ信号による複数のビデオ画をパソコン画に重ねあわせて表示することができる多入力映像信号表示装置を提供することを目的とするものである。
【０００７】
【課題を解決するための手段】
　本発明による多入力映像信号表示装置は、第１、第２映像信号入力端子、映像信号出力端子およびバス結合端子を基板に設けるとともに、前記第１映像信号入力端子に入力した映像信号をデジタル化して表示画面の縮小／拡大や表示位置の指示のための画像加工処理と走査周波数を変換するための走査変換処理とを行なう画像処理手段と、この画像処理手段で処理した映像データをアナログ化した信号と前記第２映像信号入力端子に入力した映像信号とを切り換えて前記映像信号出力端子に出力する切換制御手段とを前記基板に設けることによって画像処理ユニットを形成し、前段の画像処理ユニットの映像出力端子が後段の画像処理ユニットの第２映像信号入力端子に結合するように複数の画像処理ユニットを直列に結合し、前記複数の画像処理ユニットのバス結合端子にコンピュータのバスを結合し、末段の画像処理ユニットの映像信号出力端子にモニタを結合してなり、前記複数の画像処理ユニットの第１映像信号入力端子に入力する映像信号による複数の画面と、前記コンピュータから初段の画像処理ユニットの第２映像信号入力端子に入力する映像信号による画面とを、前記モニタで重ねあわせて表示するようにしたことを特徴とするものである。
【０００８】
【作用】
　コンピュータからの制御コマンドは、バス結合端子を介してそれぞれの画像処理ユニットに送出される。複数の画像処理ユニットのそれぞれの第１映像信号入力端子に入力したビデオ信号は、それぞれのユニット内において、画像処理手段でデジタル化され、表示画面の縮小／拡大や表示位置の指示のための画像加工処理と走査周波数を変換するための走査変換処理とがなされ、さらに切換制御手段によって切り換えられて映像信号出力端子に出力する。
【０００９】
　コンピュータからの映像信号は初段の画像処理ユニットの第２映像信号入力端子に入力し、ユニット内の切換制御手段によって第１映像信号入力端子に入力したビデオ信号と切り換えられて映像信号出力端子に出力する。末段以外の画像処理ユニットの映像信号出力端子に出力した映像信号は後段の画像処理ユニットの第２映像信号入力端子に入力し、末段の画像処理ユニットの映像信号出力端子に出力した映像信号はモニタに出力する。このため、モニタは、複数の画像処理ユニットの第１映像信号入力端子に入力する映像信号による複数の画面と、コンピュータから初段の画像処理ユニットの第２映像信号入力端子に入力する映像信号による画面とを重ねあわせて表示する。」(公報第２欄第２３行〜第３欄第２３行)
「【００１７】
　前記バス結合端子２０にはゲート回路１０４およびＦＩＦＯ（Ｆｉｒｓｔ−Ｉｎ　Ｆｉｒｓｔ−Ｏｕｔ）回路１０６を介してマイコン１０８が結合し、このマイコン１０８にはシリアルバス１１０を介してメモリコントローラ１１２が結合している。前記ゲート回路１０４は、ＤＩＰＳＷ（ディップスイッチ）１１４で設定された前記画像処理ユニット１０のユニットアドレス（例えばカードアドレス）をデコードするＡＤ（アドレス）デコーダ１１６によって開閉が制御される。前記シリアルバス１１０は前記Ｙ／Ｃ分離回路８０、ＡＦＣ回路８２、クロック変換回路８４およびＲＧＢマトリックス回路８６の制御端子に結合している。」(公報第４欄第４２行〜第５欄第３行)
「【００２１】つぎに、前記実施例の作用を図３を併用して説明する。
（イ）画像処理ユニット３０の第１映像信号入力端子１４に入力したビデオ信号は、Ａ／Ｄ変換回路７８でディジタル信号に変換され、Ｙ／Ｃ分離回路８０によってＹ信号とＣ信号に分離され、ＡＦＣ回路８２、クロック変換回路８４、ＲＧＢマトリックス回路８６およびＢＦ８８、９０、９２を介して画像メモリ９４に書き込まれる。
【００２２】（ロ）このとき、パソコン７０からの制御コマンドが、バス結合端子２０、ゲート回路１０４およびＦＩＦＯ１０６を介してマイコン１０８に入力し、このマイコン１０８からシリアルバス１１０を介してＹ／Ｃ分離回路８０、ＡＦＣ回路８２、クロック変換回路８４、ＲＧＢマトリックス回路８６メモリコントローラ１１２に制御信号が入力し、かつメモリコントローラ１１２のライト系のタイミング信号入力端子には同期分離回路１１８からの同期信号と、Ｙ／Ｃ分離回路８０からのタイミング信号と、ＡＦＣ回路８２からのタイミング信号とが入力しているので、所定の画像加工処理および走査変換処理が行なわれる。
【００２３】（ハ）すなわち、クロック変換回路８４によるサンプリング周波数の変換によって表示画面の縮小率／拡大率を可変する処理がなされる。また、メモリコントローラ１１２による書き込み制御によって、画像メモリ９４へのディジタルのビデオ信号の書き込みは、第１映像信号入力端子１４に入力したビデオ信号の同期信号と同期して行なわれる。
【００２４】（ニ）ついで、メモリコントローラ１１２による読み出し制御によって、画像メモリ９４からディジタルのビデオ信号が読み出され、Ｄ／Ａ変換回路９６を介してアナログスイッチ回路回路９８の一方の入力側に入力する。このとき、パソコン７０からの制御コマンドが、バス結合端子２０、ゲート回路１０４およびＦＩＦＯ１０６を介してマイコン１０８に入力し、このマイコン１０８からシリアルバス１１０を介してメモリコントローラ１１２に制御信号が入力し、かつメモリコントローラ１１２のリード系のタイミング信号入力端子には第２映像信号入力端子１６を介して入力したパソコン７０からのタイミング信号が入力しているので、所定の画像加工処理と走査変換処理とが行なわれる。
【００２５】（ホ）すなわち、メモリコントローラ１１２による読み出しタイミングによって表示画面の縮小率／拡大率を可変する処理がなされる。また、第２映像信号入力端子１６に入力するパソコン信号の同期信号と同期して画像メモリ９４からディジタルのビデオ信号が読み出される。したがって、ビデオ信号はパソコン信号の走査周波数と一致した走査周波数に変換され、かつ同期した信号としてアナログスイッチ回路９８に至る。
【００２６】（ヘ）アナログスイッチ回路９８は、メモリコントローラ１１２からの（ビデオ画／パソコン画）切換制御信号に基づいて、所定の画像処理がなされたビデオ信号とパソコン信号とを所定のタイミングで切り換えて映像信号出力端子１８に出力する。このため、映像信号出力端子１８には、モニタ７４で表示した場合に図３の（ａ）に示すような、パソコン画にビデオ画(1)を重ね合わせた画面表示となる映像信号が出力する。
【００２７】（ト）初段の画像処理ユニット１０の映像信号出力端子１８から出力した映像信号は、第２段目の画像処理ユニット３０の第２映像信号入力端子３６に入力し、この画像処理ユニット３０の第１映像信号入力端子３４にはビデオ信号(1)が入力している。第２段目の画像処理ユニット３０は、初段の画像処理ユニット１０と同様に作用するので、その映像信号出力端子３８には、モニタ７４で表示した場合に図３の（ｂ）に示すような、パソコン画にビデオ画(1)(2)を重ね合わせた画面表示となる映像信号が出力する。
【００２８】（チ）第２段目の画像処理ユニット３０の映像信号出力端子３８から出力した映像信号は、末段の画像処理ユニット５０の第２映像信号入力端子５６に入力し、この画像処理ユニット５０の第１映像信号入力端子５４にはビデオ信号(3)が入力している。末段の画像処理ユニット５０は、初段の画像処理ユニット１０と同様に作用するので、その映像信号出力端子５８から出力した映像信号によって、モニタ７４は、図３の（ｃ）に示すような、パソコン画にビデオ画(1)(2)(3)を重ね合わせた画面を表示する。
【００２９】前記実施例では、３つの画像処理ユニットを直列に結合した場合について説明したが、本発明はこれに限るものでなく、複数の画像処理ユニットを直列に結合した場合について利用できること勿論である。」(公報第５欄第２９行〜第７欄第９行、なお、丸付数字1,2,3は(1),(2),(3)で代用した。)
　
３．対比・判断
(1)　本願発明１
　本願発明１と、上記引用例記載の発明を比較すると、上記引用例記載の発明の「多入力映像信号装置」『「ＡＧＣ７６」「Ａ／Ｄ変換回路７８」「Ｙ／Ｃ分離回路８０」「ＡＦＣ回路８２」「クロック変換回路８４」「ＲＧＢマトリックス回路８６」「ＢＦ８８，９０，９２」「同期分離回路１１８」の組合せ』「画像メモリ９４」「Ｄ／Ａ変換回路９６」「アナログスイッチ回路９８」「メモリコントローラ１１２」が、本願発明１の「パソコン用動画像処理装置」「ＮＴＳＣ信号変換部」「色相別信号メモリ部」「デジタル／アナログ変換部」「アナログＲＧＢオーバーレイ制御部」「メモリ書き込み／読み出し制御部」に相当する。
　また、上記引用例記載の発明においても、多入力映像信号表示装置に入力される複数の映像信号は非同期であり、多入力映像信号表示装置の出力ではパソコン画面上にそれら複数の映像信号が表示されていること、および、多入力映像信号表示装置を構成する各画像処理ユニット内の画像処理手段が、画像処理ユニット間でみれば映像信号を並列処理しており、「パラレルに映像を処理している」といえることからみて、上記引用例記載の発明も本願発明１と同様に「非同期入力映像毎にパラレルに映像を処理してパソコン画面上に複数の動画像を表示させることを特徴とする」ものである。
　そうすると、本願発明１と、上記引用例記載の発明は「映像を処理してパソコン画面上に動画像を表示させるパソコン用動画像処理装置において、映像入力ｃｈからのＮＴＳＣ信号を色相別デジタル輝度信号に変換し、かつパソコン画面に表示するサイズに合わせて縮小する映像入力ｃｈ毎のＮＴＳＣ信号変換部と、前記色相別デジタル輝度信号を色相別に書き込む色相別信号メモリ部と、前記色相別デジタル輝度信号をアナログ信号に変換するデジタル／アナログ変換部と、前記色相別のアナログ信号のオーバーレイを制御するアナログＲＧＢオーバーレイ制御部と、色相別信号メモリ部へのメモリの書き込み／読み出しを制御するメモリ書き込み／読み出し制御部とから構成され、非同期入力映像毎にパラレルに映像を処理してパソコン画面上に複数の動画像を表示させることを特徴とするパソコン用動画像処理装置。」で一致し、相違する点はない。
　
(2)　本願発明２
　本願発明２は、本願発明１の構成要件である「ＮＴＳＣ信号変換部」を更に限定するものである。
　ここで、この「ＮＴＳＣ信号変換部」に相当する引用例記載の発明の『「ＡＧＣ７６」「Ａ／Ｄ変換回路７８」「Ｙ／Ｃ分離回路８０」「ＡＦＣ回路８２」「クロック変換回路８４」「ＲＧＢマトリックス回路８６」「ＢＦ８８，９０，９２」「同期分離回路１１８」の組合せ』のうち、『「Ｙ／Ｃ分離回路８０」「ＲＧＢマトリックス回路８６」の組合せ』「Ａ／Ｄ変換回路７８」「クロック変換回路８４」「同期分離回路１１８」が、本願発明２の「ＮＴＳＣ／ＲＧＢ変換部」「アナログ／デジタル変換部」「縮小画制御部」「同期信号分離部」に相当し、下記の点で一応相違する。
　
(a)　本願発明２は、縮小画制御部でＲＧＢ信号を処理して縮小画を生成しているのに対し、上記引用例記載の発明は、クロック変換回路８４でＹ信号とＣ信号を処理し、その後ＲＧＢマトリックス回路８６でＲＧＢ信号に変換している点。
(b)　上記引用例記載の発明には「制御信号発生部」に相当するものが存在することが明らかではない点。
　
　しかし、映像信号の処理を行うとき、ＲＧＢ信号の状態で処理を行うか、Ｙ信号Ｃ信号の状態で処理を行うかは共に良く行われていることにすぎないから、上記相違点(a)は単なる慣用手段の置き換えにすぎず、実質的な相違点ではない。
　また、上記引用例記載の発明の「クロック変換回路８４」は、「マイコン１０８」から「シリアルバス１１０」を介して「表示画面の縮小率／拡大率を可変」する制御を受けており、この制御信号が本願発明２において「制御信号発生部」が発生する「縮小画制御信号」に相当すること、および、装置内部の制御を一つのマイコンに集中させて行うか、および、装置の部分部分に独立した制御部を設けて分散して行うかは、当業者が必要に応じて適宜選択しうる設計的事項にすぎないことから、上記相違点(b)は、実質的な相違点ではない。
　ゆえに、本願発明２は、上記引用例に記載された発明と同一である。
　
　したがって、本願発明１，２は、上記引用例に記載された発明である。
　
　なお、原審の拒絶の査定は、特許法第２９条第２項に基づくものであるが、出願の経過からみて、審判請求人が本願発明１，２と引用例記載の発明の同一性について検討したことは明らかである。
　
４．審判請求人の主張について
　審判請求人は、平成１１年４月３０日付審判請求理由補充書において下記のように主張している。
　
(a)　「1)　引用文献１(多入力映像信号表示装置)は、非同期の複数入力映像をＲＧＢ表示する為に各入力毎に直列に接続していく方式であり、複数動画像表示を目的としているわけではない。
　すなわち、段落５で述べているように、「パソコン画の中に複数のビデオ画を重ね合わせて表示するようにした装置も公知であるが、複数のビデオ信号を同期させてパソコンに入力するようにしていたので、同期用の端子のない複数のビデオ信号による複数のビデオ画面をパソコン画に重ね合わせて表示することができないという問題点があった。」を解決する為に図１に示すように複数回の画像処理ユニットの利用を前提としている。」(審判請求理由補充書第３頁第４〜１２行)
(b)　「1)　引用文献１では、内部に同期回路を持たないため複数の画像入力をまとめて処理できない。従って、単純に複数処理を行って表示したとしても正常には表示しえない。そのため、各入力毎にＡ／Ｄ，Ｄ／Ａ変換を行わざるをえず、入力の数に相当する変換が行われることから最終的なモニタへの画像は画像品位の落ちた物になる。また、画像処理ユニットを直列に結合するために１モニター画面上で動画表示は結合している１映像となり、同時に複数の動画像は表示できない。Windows95/98のOSを使用しても複数の動画像を１画面で同時に表示することは通常できない。
　従って、「複数の入力画像とパソコンのＲＧＢ信号を高速切換によって、あたかもこの異なるフォーマットの２種類の入力が一枚の画像に見える」ように複数の入力画像を処理するためにはパソコンのＲＧＢ信号との合成も含めて１回の変換で行う必要がある。
　これを実現する為本願では、ＦＩＦＯメモリを利用して非同期の複数入力間での同期を取り、これを同時かつ一括して表示させるものである。」(審判請求理由補充書第４頁第７〜２０行)
　
　しかし、本願発明１，２が引用例記載の発明と同一であることは、上記したとおりであるから、上記主張(a)(b)はいずれも引用例との相違点に基づく主張ではない。
　また、その主張が具体的な態様に基づくものであっても、以下のとおり採用することができないものである。
　
(a)　上記主張(a)については、引用例公報第０００６段落にも示されるように、引用例記載の発明は「複数の互いに非同期のビデオ信号による複数のビデオ画をパソコン画に重ねあわせて表示することができる多入力映像信号表示装置」であることから、採用することができない。
(b)　上記主張(b)については、
(b-1)　引用例公報第００２５段落に「したがって、ビデオ信号はパソコン信号の走査周波数と一致した走査周波数に変換され、かつ同期した信号としてアナログスイッチ回路９８に至る。」と記載されるように引用例記載の多入力映像信号表示装置には複数の画像入力を同期させる機能があること。
(b-2)　引用例記載の多入力映像信号表示装置の画像処理ユニット１０の第２映像信号入力端子１６と、映像信号出力端子１８の間にはＡ／Ｄ，Ｄ／Ａ変換は存在せず、画像処理ユニットを直列に結合しても、入力されたビデオ信号に対しては、Ａ／Ｄ，Ｄ／Ａ変換は一回のみ行われ、この点では、本願発明１，２も同様であること。
(b-3)　引用例には「１モニター画面上で動画表示は結合している１映像」となってしまう旨の記載はなく、また、そのように推測すべき技術的理由もないこと。
(b-4)　本願明細書にも引用例公報にも「Windows95/98のOSを使用」することについて記載がないこと。
　
　から、採用することはできない。　
　
５．むすび
　以上のとおり、本願発明１，２は、引用例に記載された発明であるので、特許法第２９条第１項第３号の規定により特許を受けることができない。
　よって結論のとおり審決する。